(57)【要約】【課題】            テーパー部の疲労が生ずる度合いが少なく、しかも製造段階におけるバリ、引けが生じた場合、又は寸法に多少の正確性が欠如した場合においても、テーパー部と逆テーパー部とによる気密性を維持できるようなボールペンの構成を提供すること。【解決手段】        ペン先１１の後側周囲に位置しているテーパー部１２と、キャップ２内における内キャップ２１の先端に設けられている逆テーパー部２２とが嵌合し合うボールペンであって、該テーパー部１２に円輪状の凹溝１３を設け、当該凹溝１３にＯリング３を、当該凹溝１３から突出した状態にて張設し、かつ当該Ｏリング３は、テーパー部１２と逆テーパー部２２とを嵌合自在とする程度の伸縮性、及び断面形状を有することに基づき、前記課題を達成することができるボールペン。【選択図】          図３
2006056159.tif 000002
【特許請求の範囲】
【請求項１】
ペン先の後側周囲に位置しているテーパー部と、キャップ内における内キャップの先端に設けられている逆テーパー部とが嵌合し合うボールペンであって、該テーパー部に円輪状の凹溝を設け、当該凹溝にＯリングを、当該凹溝から突出した状態にて張設し、かつ当該Ｏリングは、テーパー部と逆テーパー部とを嵌合自在とする程度の伸縮性、及び断面形状を有することに基づくボールペン。
【請求項２】
逆テーパー部において嵌合する際、Ｏリングを圧縮した状態にて係合する他の凹溝を設けたことを特徴とする請求項１記載のボールペン。
【請求項３】
Ｏリングの内側端と外側端とによる幅の内、約２／３の幅を有する内側部分が、凹溝中に埋設され、かつ約１／３の幅を有する外側部分が、凹溝から突出していることを特徴とする請求項１記載のボールペン。
【請求項４】
テーパー部又は逆テーパー部の何れか一方に、凹溝及びＯリングを複数個設けたことを特徴とする請求項１記載のボールペン。
【発明の詳細な説明】
【技術分野】
【０００１】
本発明は、水性インクなど蒸発し易いインクを使用しているボールペンに関するものである。
【背景技術】
【０００２】
水性インクなどの流動性を有しているインクを使用しているボールペンにおいては、水性インクをペン先に誘導する際に、万年筆の場合と同じように、ボールペン本体に、鍔状の円輪を複数個ジャバラ状に併設してインクの粘性抵抗を利用して誘導する方式、及びボールペン本体のパイプに綿状の繊維性物質を充満させて毛細管現象によって誘導する方式などが存在する。
【０００３】
何れの方式においても、不使用時において、ペン先をキャップに挿入する際、ペン先の周囲において密閉状態を出現させるために、図４に示すように、ペン先１１の後側周囲にテーパー部１２を設け、かつキャップ２の内側に設けられている内キャップ２１の先端部に、当該テーパー部１２と密着した状態にて嵌合し得る逆テーパー部２２を設けている。
【０００４】
従来、テーパー部は、金属又はプラスチックのような変形し難い素材を採用しているのに対し、内キャップ及びその先端部に設けられている逆テーパー部は、ポリプロピレン、ポリエチレンなどの変形可能なプラスチックを素材としており、テーパー部と嵌合した際、多少広がった状態の弾性変形を行いながら密閉状態を形成し、インクの蒸発を防止している。
【０００５】
従前の前記テーパー部と逆テーパー部との嵌合状態を形成する構成においては、
（１）逆テーパー部がやや弾性変形を行い、広がった状態を継続した場合、プラスチック素材が疲労変形し、弾性を維持できず、密閉状態に支障を来たすこと、
（２）成型段階において、テーパー部又は逆テーパー部の何れか一方又は双方に、バリ又は引けが生じた場合には、密閉状態を出現できないという不都合が生ずること、
（３）成型に際し、設計上の不十分性などを原因として、テーパー部及び逆テーパー部の寸法が十分合致しない場合にも、密閉状態を形成できないこと、
などの技術上の問題点が存在していた。
【０００６】
しかるに、前記（１）、（２）、（３）の問題点を解決するような構成は、これまで提唱されていなかった。
【０００７】
【特許文献１】特開平７−３２３６８９号公報。
【特許文献２】特開平８−１０８６７８号公報。
【特許文献３】特開平１０−１３８６８９号公報。
【発明の開示】
【発明が解決しようとする課題】
【０００８】
本発明は、逆テーパー部の疲労が生ずる度合いが少なく、しかも製造段階におけるバリ、引けが生じた場合、又は寸法における正確性の欠如が生じている場合においても、テーパー部と逆テーパー部とによる気密性を維持できるようなボールペンの構成を提供することと課題としている。
【課題を解決するための手段】
【０００９】
前記課題を解決するため、本発明の構成は、ペン先の後側周囲に位置しているテーパー部と、キャップ内における内キャップの先端に設けられている逆テーパー部とが嵌合し合うボールペンであって、該テーパー部に円輪状の凹溝を設け、当該凹溝にＯリングを、当該凹溝から突出した状態にて張設し、かつ当該Ｏリングは、テーパー部と逆テーパー部とを嵌合自在とする程度の伸縮性、及び断面形状を有することに基づくボールペンからなる。
【発明の効果】
【００１０】
前記構成に基づき、本発明においては、逆テーパー部の疲労が生ずる度合いが少なく、しかも製造段階におけるバリ、引けが生じた場合、又は寸法における正確性の欠如が生じている場合においても、テーパー部と逆テーパー部とによる気密性を維持でき、ひいては、インクの蒸発を防止することができる。
【発明を実施するための最良の形態】
【００１１】
本発明においては、テーパー部１２にＯリング３を張設したうえで、逆テーパー部２２と嵌合可能な状態としたことを基本的な特徴としている。
【００１２】
図３（ａ）、（ｂ）は、本発明の典型的な実施形態を示しているが、何れの場合においても、Ｏリング３は、テーパー部１２の凹溝１３内に張設されており、嵌合に際し、テーパー部１２から外れることを防止している。
【００１３】
図３（ａ）は、逆テーパー部２２を概略平坦形状としているのに対し、図３（ｂ）は、嵌合に際し、Ｏリング３を内側に圧着し得るような他の凹溝１３を設けている。
【００１４】
図３（ａ）の実施形態は、嵌合に際し、Ｏリング３が凹溝１３内に圧縮される程度の伸縮性及び断面形状である場合に採用可能であり、図３（ｂ）の実施形態は、嵌合に際し、Ｏリング３が完全にテーパー部１２の凹溝１３内に圧縮され得ないような伸縮性及び断面形状を有している場合（例えば、伸縮性が乏しい場合、又は断面形状が大きい場合）に好適である。
【００１５】
何れの実施形態においても、テーパー部１２と逆テーパー部２２とは、Ｏリング３と密着しており、当該Ｏリング３を介して、気密性を維持することができるので、従来技術の場合のように、テーパー部１２と逆テーパー部２２との嵌合に際し、逆テーパー部２２がやや広がった状態となるような弾性変形を行う必要がなく、これによって、逆テーパー部２２の弾性疲労を防止することができる。
【００１６】
他方、嵌合に際し、テーパー部１２と逆テーパー部２２との間に多少の隙間が存在したとしても、Ｏリング３とテーパー部１２及び逆テーパー部２２の間は、完全に密着しているので、当該隙間は、気密性維持の支障とはならない。
【００１７】
このため、製造段階におけるバリ、引けの発生、更には、寸法上の不正確性などのテーパー部１２と逆テーパー部２２との隙間の発生の原因となるような事態が存在したとしても、前記気密性を維持することによって、インクの蒸発を防止することが可能となる。
【００１８】
以下、実施例に従って説明する。
【実施例１】
【００１９】
実施例１は、図１に示すように、Ｏリング３の内側端と外側端とによる幅の内、約２／３の幅を有する内側部分が、凹溝１３中に埋設され、かつ約１／３の幅を有する外側部分が、凹溝１３から突出していることを特徴としている。
【００２０】
Ｏリング３は、テーパー部１２から外れないように凹溝１３内に張設されているが、一方では、凹溝１３から突出することによって、嵌合に際し、気密性の維持に寄与することが必要とされている。
【００２１】
このような凹溝１３内における安定した張設状態と、前記気密性維持への寄与を調整するうえで、Ｏリング３において、半径方向の外側端と内側端とによる幅の内、どの程度の内側部分を凹溝１３内に埋設させ、どの程度の外側部分を凹溝１３から突出させるかは、設計上工夫が要求されるところである。
【００２２】
発明者の経験では、前記外側端と内側端とによる幅の内、約１／２程度の内側部分を凹溝１３内に埋設し、残約１／２の外側部分を凹溝１３から突出した場合には、Ｏリング３の凹溝１３内における安定した張設状態に支障が生じる。
【００２３】
これに対し、Ｏリング３の前記外側端と内側端との幅の内、約３／４の内側部分を凹溝１３内に埋設し、残約１／４の外側部分を凹溝１３から突出した場合には、逆に、嵌合に際し、圧縮変形する部分が少なく、気密性維持の寄与に不十分である。
【００２４】
実施例１においては、約２／３の内側部分を凹溝１３内に埋設し、残約１／３を凹溝１３から突出させているが、このような設計が、凹溝１３内における安定した張設状態、及び十分な気密性の維持に対する寄与を両立させることが可能となり、極めて好適である。
【実施例２】
【００２５】
実施例２においては、図２に示すように、複数個（図２においては、２個）の凹溝１３及びＯリング３を設けており、このような複数個の設置によって、気密性維持を更に一層向上させている。
【産業上の利用可能性】
【００２６】
このように、Ｏリングの介在によって、固有の作用効果を発揮している本発明の構成は、ボールペン、特に水性インクを用いているボールペンにおいて採用可能である。
【図面の簡単な説明】
【００２７】
【図１】実施例１の状態を説明する断面図である。
【図２】実施例２の構成を示す断面図である。
【図３】本発明の典型的な実施形態を示す断面図であって、（ａ）は、逆テーパー部に他の凹溝を設けていない場合を示しており、（ｂ）は、逆テーパー部に他の凹溝を設けた場合を示している。
【図４】従来技術におけるボールペンのペン先付近及びキャップの状態を示す断面図である。
【符号の説明】
【００２８】
１  ボールペン本体
１１  ペン先
１２  テーパー部
１３  凹溝
２  キャップ
２１  内キャップ
２２  逆テーパー部
２３  他の溝
３  Ｏリング
【図１】
2006056159.tif 000003
【図２】
2006056159.tif 000004
【図３】
2006056159.tif 000005
【図４】
2006056159.tif 000006